(57)【要約】  本発明は無線通信システムにおける自動再送要求（ＡＲＱ）フィードバックメッセージ生成装置及び方法に関する。本発明による受信側でＡＲＱフィードバックのための方法は、少なくとも一つのＡＲＱブロックのフィードバック情報を生成する過程と、エラーが発生した少なくとも一つのＡＲＱブロックのうち少なくとも二つのＡＲＱサブブロックで構成されるＡＲＱブロックが存在する場合、エラーが発生した少なくとも一つのＡＲＱブロックのうち受信に成功した少なくとも一つのＡＲＱサブブロックを含むＡＲＱブロックが存在するかを確認する過程と、受信に成功した少なくとも一つのＡＲＱサブブロックを含むＡＲＱブロックが存在する場合、ＡＲＱサブブロックのフィードバック情報に対する追加の有無を示すフィールドと、エラーが発生した少なくとも一つのＡＲＱブロックのうち受信に成功した少なくとも一つのＡＲＱサブブロックを含むＡＲＱブロックを示すフィールドと、を用いて前記ＡＲＱブロックのフィードバック情報にＡＲＱサブブロックのフィードバック情報を追加する過程と、前記ＡＲＱサブブロックのフィードバック情報が追加されたＡＲＱブロックに対するフィードバック情報を送信側へ伝送する過程と、を含む。
2013509792.tif 000002
【特許請求の範囲】
【請求項１】
無線通信システムの受信側で自動再送要求（ＡＲＱ）フィードバックメッセージを生成するための方法において、
少なくとも一つのＡＲＱブロックの第１フィードバック情報を生成する過程と、
受信に成功した少なくとも一つのＡＲＱサブブロックを含むエラーが発生したＡＲＱブロックが存在するかを確認する過程と、
ＡＲＱサブブロックの第２フィードバック情報に対する追加の有無を示すフィールドと、受信に成功した少なくとも一つのＡＲＱサブブロックを含むエラーが発生したＡＲＱブロックを示すフィールドと、を用いて前記第１フィードバック情報にＡＲＱサブブロックの第２フィードバック情報を追加する過程と、
前記第２フィードバック情報が追加された前記第１フィードバック情報を送信側へ伝送する過程と、を含むことを特徴とする方法。
【請求項２】
前記第１フィードバック情報を生成する前に送信側から少なくとも一つのＡＲＱブロックが受信されるかを確認する過程と、
少なくとも一つのＡＲＱブロックが受信される場合、前記少なくとも一つのＡＲＱブロックにエラーが発生したか否かを確認する過程をさらに含むことを特徴とする請求項１に記載の方法。
【請求項３】
前記第１フィードバック情報を生成した後、エラーが発生した少なくとも一つのＡＲＱブロックが少なくとも二つのＡＲＱサブブロックを含まない場合、前記第１フィードバック情報を送信側へ伝送する過程をさらに含むことを特徴とする請求項１に記載の方法。
【請求項４】
受信に成功した少なくとも一つのＡＲＱサブブロックを含むＡＲＱブロックが存在する場合、前記第１フィードバック情報を送信側へ伝送する過程をさらに含むことを特徴とする請求項１に記載の方法。
【請求項５】
無線通信システムの受信側で自動再送要求フィードバックメッセージを生成するための装置において、
ＡＲＱフィードバックを行う時点を考慮して送信側へＡＲＱフィードバックを行い、送信側から提供されたＡＲＱブロックにエラーが発生したか否かを確認し、エラーが発生した少なくとも一つのＡＲＱブロックのうち少なくとも二つのＡＲＱサブブロックで構成されるＡＲＱブロックが存在するかを確認し、エラーが発生した少なくとも一つのＡＲＱブロックのうち受信に成功した少なくとも一つのＡＲＱサブブロックを含むＡＲＱブロックが存在するかを確認するＡＲＱ制御部と、
前記ＡＲＱ制御部の制御に応じてＡＲＱフィードバックを行う場合、少なくとも一つのＡＲＱブロックに対する第１フィードバック情報を生成し、受信に成功した少なくとも一つのＡＲＱサブブロックを含む少なくとも一つのエラーが発生したＡＲＱブロックが存在する場合、ＡＲＱサブブロックの第２フィードバック情報に対する追加の有無を示すフィールドと、受信に成功した少なくとも一つのＡＲＱサブブロックを含むエラーが発生したＡＲＱブロックを示すフィールドと、を用いて前記第１フィードバック情報にＡＲＱサブブロックの第２フィードバック情報を追加するＡＲＱ制御メッセージ生成部と、
前記ＡＲＱ制御メッセージ生成部で前記第２フィードバック情報が追加された前記第１フィードバック情報を送信側へ伝送する送信器と、を含むことを特徴とする装置。
【請求項６】
送信側から少なくとも一つのＡＲＱブロックを受信する受信器をさらに含み、
前記ＡＲＱ制御部は、前記受信器を介して受信した少なくとも一つのＡＲＱブロックにエラーが発生したか否かを確認することを特徴とする請求項５に記載の装置。
【請求項７】
前記第１フィードバック情報を生成する過程は、
累積ＡＣＫ方式と選択的ＡＣＫ方式のうち少なくとも一つを用いてＡＲＱフィードバックを行っていない少なくとも一つのＡＲＱブロックに対する第１フィードバック情報を生成する過程と、を含むことを特徴とする請求項１又は５に記載の方法又は装置。
【請求項８】
前記第１フィードバック情報は、ＡＲＱが適用された連結子の識別子フィールド、追加的なＡＲＱフィードバック情報の存在有無を示すフィールド、第１フィードバック情報の構成方法を示すフィールド、第１フィードバック情報の構成方法によって受信に成功した最後のＡＲＱブロック又は最初にエラーが発生したＡＲＱブロックのシーケンス番号を示すフィールド、少なくとも一つのＡＲＱブロックにエラーが発生したか否かを示すビットマップフィールド、第２フィードバック情報に対する追加の有無を示すフィールド及び追加的なビットマップフィールドの存在有無を示すフィールドのうち少なくとも一つを含むことを特徴とする請求項１又は５に記載の方法又は装置。
【請求項９】
前記第２フィードバック情報を追加する過程は、
前記第１フィードバック情報に含まれる第２フィードバック情報の追加の有無を示すフィールドを前記第２フィードバック情報の追加を示すように設定する過程と、
受信に成功した少なくとも一つのＡＲＱサブブロックを含むエラーが発生したＡＲＱブロックを示すフィールド、受信に成功した最初のＡＲＱサブブロックのシーケンス番号を示すフィールド、前記最初のＡＲＱサブブロックから連続して受信に成功したＡＲＱサブブロックの個数を示すフィールド及びＡＲＱサブブロックに対する追加的なフィードバック情報の存在有無を示すフィールドのうち少なくとも一つを用いて前記第１フィードバック情報に前記第２フィードバック情報を追加する過程と、を含むことを特徴とする請求項１又は５に記載の方法又は装置。
【請求項１０】
前記最初のＡＲＱサブブロックのフィードバック情報を追加する過程は、
前記第１フィードバック情報に含まれる第２フィードバック情報に対する追加の有無を示すフィールドを第２フィードバック情報の追加を示すように設定する過程と、
受信に成功した少なくとも一つのＡＲＱサブブロックを含むエラーが発生したＡＲＱブロックを示すフィールド、ＡＲＱサブブロックにエラーが発生したか否かを示すビットマップフィールド、追加的なビットマップフィールドの存在有無を示すフィールドのうち少なくとも一つを用いて前記第１フィードバック情報に前記第２フィードバック情報を追加する過程と、を含むことを特徴とする請求項１又は５に記載の方法又は装置。
【請求項１１】
前記第２フィードバック情報を追加する過程は、
前記第１フィードバック情報に含まれる第２フィードバック情報に対する追加の有無を示すフィールドを第２フィードバック情報の追加を示すように設定する過程と、
受信に成功した少なくとも一つのＡＲＱサブブロックを含むエラーが発生したＡＲＱブロックを示すフィールド、第２フィードバック情報の構成方式を示すフィールド、前記第２フィードバック情報の構成方法によって受信に成功した最後のＡＲＱサブブロック又は最初にエラーが発生したＡＲＱサブブロックのシーケンス番号を示すフィールド、ＡＲＱサブブロックにエラーが発生したか否かを示すビットマップフィールド、追加的なビットマップフィールドの存在有無を示すフィールドのうち少なくとも一つを用いて前記第１フィードバック情報に前記第２フィードバック情報を追加する過程と、を含むことを特徴とする請求項１又は５に記載の方法又は装置。
【請求項１２】
前記第２フィードバック情報を追加する過程は、
前記第１フィードバック情報に含まれる第２フィードバック情報に対する追加の有無を示すフィールドを第２フィードバック情報の追加を示すように設定する過程と、
受信に成功した少なくとも一つのＡＲＱサブブロックを含むエラーが発生したＡＲＱブロックを示すフィールド、第２フィードバック情報の構成方式を示すフィールド、ＡＲＱサブブロックのシーケンス番号情報、シーケンスグループのＡＣＫ／ＮＡＣＫ情報を示すシーケンスビットマップ情報、シーケンスグループの長さを示す情報及び追加的なＡＲＱサブブロックのフィードバック情報の存在有無を示すフィールドのうち少なくとも一つを用いて前記ＡＲＱブロックのフィードバック情報にＡＲＱサブブロックのフィードバック情報を追加する過程と、を含むことを特徴とする請求項１又は５に記載の方法又は装置。
【請求項１３】
前記送信器は、前記第１フィードバック情報を生成した後、エラーが発生した少なくとも一つのＡＲＱブロックのうち少なくとも二つのＡＲＱサブブロックで構成されるＡＲＱブロックが存在しない場合、第２フィードバック情報が追加されていない前記第１フィードバック情報を送信側へ伝送することを特徴とする請求項５に記載の方法。
【請求項１４】
前記送信器は、受信に成功した少なくとも一つのＡＲＱサブブロックを含むエラーが発生したＡＲＱブロックが存在しない場合、第２フィードバック情報が追加されていない前記第１フィードバック情報を送信側へ伝送することを特徴とする請求項５に記載の装置。
【発明の詳細な説明】
【技術分野】
【０００１】
本発明は無線通信システムにおける自動再送要求（ＡＲＱ）のための装置及び方法に関し、特に無線通信システムにおけるＡＲＱフィードバックメッセージを生成するための装置及び方法に関する。
【背景技術】
【０００２】
無線通信システムはデータを伝送する無線リソースのチャネル状態によってデータにエラーが発生し得る。そのため、無線通信システムは伝送信頼度を高めるためにＡＲＱ技法を用いてデータのエラーを制御及び復旧する。
【０００３】
ＡＲＱ技法を使用する場合、受信側は送信側から受信したＡＲＱブロックの受信に成功したか否かを前記送信側へ知らせる。例えば、送信側から受信したＡＲＱブロックにエラーが発生しなかった場合、受信側は前記送信側へＡＣＫ情報を伝送する。送信側から受信したＡＲＱブロックにエラーが発生した場合、受信側は前記送信側へＮＡＣＫ情報を伝送する。ここで、受信側が受信したＡＲＱブロックに対する受信の成功可否を送信側へ伝送する一連の動作をＡＲＱフィードバックと称する。
【０００４】
受信側は累積ＡＣＫ方式、選択的ＡＣＫ方式を用いてＡＲＱフィードバックを行うことができる。累積ＡＣＫ方式を使用する場合、受信側は連続して受信に成功したＡＲＱブロックのうち最後のＡＲＱブロックのシーケンス番号を送信側へ伝送する。選択的ＡＣＫ方式を使用する場合、受信側は送信側から提供されたＡＲＱブロックに対する受信の成功可否を示すビットマップを構成して送信側へ伝送する。
【０００５】
ＡＲＱブロックを可変長に構成する場合、前記送信側はＡＲＱブロックを多数個のＡＲＱサブブロックに分割して受信側へ再送できる。この場合、受信側はＡＲＱブロックに対するＡＲＱフィードバック情報とＡＲＱサブブロックに対するＡＲＱフィードバック情報とを送信側へ伝送しなければならない。すなわち、受信側からＡＲＱフィードバック情報を伝送するためのリソースの量が増加する問題が発生する。
【０００６】
そのため、送信側でＡＲＱブロックを可変長に構成する場合、受信側からＡＲＱブロックとＡＲＱサブブロックに対するＡＲＱフィードバック情報を效率的に伝送するための方法を必要とする。
【発明の概要】
【発明が解決しようとする課題】
【０００７】
本発明の目的は、上述した問題点及び／又は短所を解決して最小限の長所を以下に記述したように提供することにある。したがって、本発明の目的は、無線通信システムの受信側でＡＲＱフィードバックメッセージを生成するための装置及び方法を提供することにある。
【０００８】
本発明の他の目的は、無線通信システムの受信側で累積ＡＣＫ方式と選択的ＡＣＫ方式とを用いてＡＲＱフィードバックメッセージを生成するための装置及び方法を提供することにある。
【０００９】
本発明のまた他の目的は、無線通信システムにおけるＡＲＱサブブロックに対するＡＲＱフィードバックメッセージを生成するための装置及び方法を提供することにある。
【００１０】
本発明のまた他の目的は、無線通信システムの受信側でＡＲＱサブブロックに対するＡＲＱフィードバックメッセージのオーバーヘッドを減らすための装置及び方法を提供することにある。
【００１１】
本発明のまた他の目的は、無線通信システムの受信側でＡＲＱブロックとＡＲＱサブブロックのＡＲＱフィードバック情報を含むＡＲＱフィードバックメッセージを生成するための装置及び方法を提供することにある。
【００１２】
本発明のまた他の目的は、無線通信システムの受信側でＥｘＴフィールドとＳＥＭフィールドを用いてＡＲＱサブブロックのＡＲＱフィードバック情報をＡＲＱブロックのＡＲＱフィードバック情報に追加するための装置及び方法を提供することにある。
【課題を解決するための手段】
【００１３】
本発明の目的を達成するための本発明の第１見地によれば、無線通信システムの受信側で自動再送要求（ＡＲＱ）フィードバックメッセージを生成するための方法に関する。前記方法は少なくとも一つのＡＲＱブロックの第１フィードバック情報を生成する過程と、少なくとも二つのＡＲＱサブブロックを含むエラーが発生したＡＲＱブロックが存在する場合、受信に成功した少なくとも一つのＡＲＱサブブロックを含むエラーが発生したＡＲＱブロックが存在するかを確認する過程と、受信に成功した少なくとも一つのＡＲＱサブブロックを含むＡＲＱブロックが存在する場合、ＡＲＱサブブロックの第２フィードバック情報に対する追加の有無を示すフィールドと、受信に成功した少なくとも一つのＡＲＱサブブロックを含むエラーが発生したＡＲＱブロックを示すフィールドと、を用いて前記第１フィードバック情報に前記第２フィードバック情報を追加する過程と、前記第２フィードバック情報が追加された前記第１フィードバック情報を送信側へ伝送する過程と、を含むことを特徴とする。
【００１４】
本発明の第２見地によれば、無線通信システムの受信側で自動再送要求（ＡＲＱ）フィードバックメッセージを生成するための装置に関する。この時、前記装置は、ＡＲＱフィードバックを行う時点を考慮して送信側へＡＲＱフィードバックを行い、送信側から提供されたＡＲＱブロックにエラーが発生したか否かを確認し、少なくとも二つのＡＲＱサブブロックを含むエラーが発生したＡＲＱブロックが存在するかを確認し、受信に成功した少なくとも一つのＡＲＱサブブロックを含むエラーが発生したＡＲＱブロックが存在するかを確認するＡＲＱ制御部と、前記ＡＲＱ制御部の制御に応じてＡＲＱフィードバックを行う場合、少なくとも一つのＡＲＱブロックに対する第１フィードバック情報を生成し、受信に成功した少なくとも一つのＡＲＱサブブロックを含むエラーが発生した少なくとも一つのＡＲＱブロックが存在する場合、ＡＲＱサブブロックの第２フィードバック情報に対する追加の有無を示すフィールドと、受信に成功した少なくとも一つのＡＲＱサブブロックを含むエラーが発生したＡＲＱブロックを示すフィールドと、を用いて前記第１フィードバック情報に前記第２フィードバック情報を追加するＡＲＱ制御メッセージ生成部と、前記ＡＲＱ制御メッセージ生成部で第２フィードバック情報を追加した前記第１フィードバック情報を送信側へ伝送する送信器と、を含むことを特徴とする。
【００１５】
本発明の他の見地、利益、主な特徴は以下に添付された本発明の実施形態及び図面と共に説明される詳細な説明から当業者に明白に認識されるはずである。
【００１６】
本発明の実施形態による本発明の上述した見地及び他の見地、特徴、利点は次の図面とともに説明される詳細な説明から明らかに認識されるであろう。
【図面の簡単な説明】
【００１７】
【図１】本発明の実施形態による無線通信システムにおけるＡＲＱブロックの構成を示す図である。
【図２】本発明の実施形態による無線通信システムにおけるＡＲＱフィードバックメッセージの構成を示す図である。
【図３】本発明の実施形態による無線通信システムの受信側でＡＲＱフィードバックメッセージを生成するための手順を示すフローチャートである。
【図４】本発明の実施形態による無線通信システムの送信側でＡＲＱブロックを伝送するための手順を示すフローチャートである。
【図５】本発明によって無線通信システムにおける送信側のブロック構成を示す図である。
【図６】本発明によって無線通信システムにおける受信側のブロック構成を示す図である。
【発明を実施するための形態】
【００１８】
上述した図面全般にわたり、図面の参照符号は同一または類似の要素、特徴、構造を説明するために用いられる。
【００１９】
以下、図面を参考した説明は特許請求の範囲及びこれと同等なものによって定義される本発明の実施形態の包括的な理解を助けるために提供される。以下の説明は理解を助けるために様々な具体的な細部事項を含むが、例示として扱われるだけである。したがって、本発明の思想や範囲から逸脱しない限度内で実施形態の様々な変形及び修正が可能であることは無論である。また、周知の機能及び構造の説明は明確性のために省略される。
【００２０】
「ａ」、「ａｎ」及び「ｔｈｅ」のような単数形は文脈で明確に記載されない限り複数の指示対象をも含む。例えば、「ａ  ｃｏｍｐｏｎｅｎｔ  ｓｕｒｆａｃｅ」は少なくとも一つの意味を含む。
【００２１】
以下、本発明は無線通信システムの受信側で自動再送要求（ＡＲＱ）フィードバックメッセージを生成するための技術に対して説明する。
【００２２】
以下の説明で送信側と受信側は基地局制御装置、基地局、端末、中継局など無線通信システムを構成するすべての送受信ノードを含む。前記端末はユーザ端末、端末機、ノードなどを含む。例えば、端末は携帯電話、ＰＤＡ、ラップトップコンピュータ、個人化機器及びタブレットＰＣなどを含む。
【００２３】
ＡＲＱ動作はＭＡＣ階層で起こる。したがって、送信側はＡＲＱ動作のために下記図１に示すようにＭＡＣ階層でＡＲＱブロック又は再送のためのＡＲＱブロックを生成する。
【００２４】
図１の（Ａ）乃至（Ｃ）は、本発明の実施形態による無線通信システムにおけるＡＲＱブロックの構成を示す。
【００２５】
前記図１に示すように前記図１の（Ａ）はデータ伝送のためのＡＲＱブロックの構成を示し、前記図１の（Ｂ）は再送のためのＡＲＱサブブロックの構成を示し、前記図１の（Ｃ）は再送のためのＡＲＱブロックの構成を示す。
【００２６】
前記図１の（Ａ）乃至（Ｃ）に示すように、送信側は上位階層からＭＡＣ階層へ伝送したサービスデータユニット（ＳＤＵ：Ｓｅｒｖｉｃｅ  Ｄａｔａ  Ｕｎｉｔ）を分割するか多数個のサービスデータユニットを結合してＭＡＣ階層の伝送単位であるＭＰＤＵを構成する。
【００２７】
ＭＰＤＵにＡＲＱを適用する場合、前記送信側はＭＰＤＵ単位でＡＲＱブロックシーケンス番号（ＡＲＱ  ＳＮ）を割り当てる。すなわち、送信側は一つのＭＰＤＵを一つのＡＲＱブロックに設定する。例えば、上位階層から２個のサービスデータユニットをＭＡＣ階層へ伝送する場合、送信側は２個のサービスデータユニットを用いて３個のＭＰＤＵを構成する。この時、前記送信側はそれぞれのＭＰＤＵに１番から３番までのＡＲＱブロックシーケンス番号を割り当てる。ここで、前記送信側はＭＡＣヘッダのような形式でＡＲＱブロックシーケンス番号のような制御情報をＭＰＤＵに追加する。
【００２８】
送信側は伝送したＡＲＱブロックのうち２番目のＡＲＱブロックにエラーが発生した場合、受信側はＡＲＱフィードバックによって前記送信側へ２番目のＡＲＱブロックに対する再送を要求する。
【００２９】
前記送信側はエラーが発生したＡＲＱブロックを多数個のＡＲＱサブブロックに分割して再送できる。例えば、前記送信側は前記図１の（Ｂ）に示すようにエラーが発生した２番目のＡＲＱブロックを７個のＡＲＱサブブロックに分割する。その後、前記送信側は３個のＡＲＱサブブロックを含むＭＰＤＵと４個のＡＲＱサブブロックを含むＭＰＤＵを構成して受信側へ伝送する。この時、前記送信側はそれぞれのＡＲＱサブブロックにＡＲＱサブブロックシーケンス番号（ＡＲＱ  ＳＵＢ  ＳＮ）を割り当てる。
【００３０】
また、前記送信側はエラーが発生したＡＲＱブロックに対する元のＡＲＱブロックを受信側へ再送することもできる。例えば、前記送信側は前記図１の（Ｃ）に示すようにエラーが発生した２番目のＡＲＱブロックに対する元のＡＲＱブロックを受信側へ再送する。この時、前記送信側はＡＲＱブロックシーケンス番号を含む２番目のＡＲＱブロックに対するＭＰＤＵを受信側へ再送する。
【００３１】
受信側がＡＲＱブロック又はＡＲＱサブブロックを再送される場合、前記受信側はＡＲＱブロックのＡＲＱブロックシーケンス番号又はＡＲＱサブブロックのＡＲＱサブブロックシーケンス番号を用いて再送されたＡＲＱブロック又はＡＲＱサブブロックに対するＡＲＱフィードバック情報を生成する。
【００３２】
上述のように送信側はＡＲＱブロック又はＡＲＱサブブロックを受信側へ伝送する。この時、受信側は下記図２に示すように累積ＡＣＫ方式と選択的ＡＣＫ方式とを用いて生成したＡＲＱフィードバックメッセージを送信側へ伝送する。
【００３３】
図２は、本発明の実施形態による無線通信システムにおけるＡＲＱフィードバックメッセージの構成を示す。
【００３４】
前記図２の（Ａ）に示すように、受信側は送信側から３番目から９番目までのＡＲＱブロックを受信されると仮定する。この時、前記受信側が受信したＡＲＱブロックのうち３番目、５番目、６番目及び８番目のＡＲＱブロックにエラーが発生したと仮定する。
【００３５】
上述のようにＡＲＱブロックにエラーが発生した場合、前記受信側は前記図２の（Ｂ）に示すように選択的ＡＣＫマップによって７個のＡＲＱブロックに対するＡＲＱフィードバック情報を生成する。例えば、選択的ＡＣＫマップが７ビットで構成される場合、前記受信側は「０１００１０１」のような選択的ＡＣＫマップを構成する。この時、前記受信側は最初にエラーが発生した３番目のＡＲＱブロックのシーケンス番号を含むようにＡＲＱフィードバック情報を構成できる。
【００３６】
前記選択的ＡＣＫマップによってエラーが発生したと表示されたＡＲＱブロックのうち少なくとも一つのＡＲＱサブブロックで構成されるＡＲＱブロックが存在し得る。もし、エラーが発生したＡＲＱブロックのうち少なくとも一つのＡＲＱサブブロックで構成されるＡＲＱブロックが存在し、前記ＡＲＱブロックを構成するＡＲＱサブブロックのうち前記受信側が受信に成功したＡＲＱサブブロックが存在する場合、前記受信側はＡＲＱサブブロックに対するエラーの発生有無を送信側へ知らせるための追加情報を必要とする。また、前記受信側は前記追加情報の存在を示すための制御情報を必要とする。例えば、前記受信側は「ＥｘＴ」を用いてＡＲＱフィードバック情報に追加する情報が存在することを示す。前記追加情報が存在する場合、前記受信側は「ＥｘＴ」を１に設定する。これにより、「ＥｘＴ」が１である場合、送信側はエラーが発生したＡＲＱブロックで受信に成功したＡＲＱサブブロックが存在すると認識する。一方、前記追加情報が存在しない場合、前記受信側は「ＥｘＴ」を０に設定する。これにより、「ＥｘＴ」が０である場合、送信側はエラーが発生したＡＲＱブロックで受信に成功したＡＲＱサブブロックが存在しないと認識する。
【００３７】
前記エラーが発生したＡＲＱブロックのうち３番目のＡＲＱブロックと６番目のＡＲＱブロックが少なくとも一つのＡＲＱサブブロックで構成され、前記３番目のＡＲＱブロックと６番目のＡＲＱブロックのＡＲＱサブブロックのうち受信に成功したＡＲＱサブブロックが存在する場合、前記受信側はＡＲＱサブブロックに対するＡＲＱフィードバック情報を送信側へ伝送しなければならない。この時、前記受信側は前記図２の（Ｃ）に示すように「ＳＥＭ」を用いてＡＲＱサブブロックのＡＣＫ／ＮＡＣＫ情報を示すＡＲＱブロックを表示する。例えば、前記受信側はエラーが発生したＡＲＱブロックのうちＡＲＱサブブロックのＡＣＫ／ＮＡＣＫ情報を示すＡＲＱブロックを表示できるようにＳＥＭを４ビットで構成する。この時、前記受信側はＡＲＱサブブロックで構成される３番目、６番目のＡＲＱブロックを示すＳＥＭのビットを「１」と表示し、ＡＲＱサブブロックで構成されない５番目、８番目のＡＲＱブロックを示すＳＥＭのビットを「０」と表示する。もし、ＡＲＱブロックを構成するすべてのＡＲＱサブブロックにエラーが発生した場合、前記受信側は当該ＡＲＱブロックを示すＳＥＭのビットを「０」と表示する。すなわち、前記受信側はエラーが発生したＡＲＱブロックのうち受信に成功したＡＲＱサブブロックを含むＡＲＱブロックを示すＳＥＭのビットを「１」と表示する。この時、前記受信側は「ＥｘＴ」を用いて「ＳＥＭ」の存在有無を示す。
【００３８】
また、前記受信側はＳＥＭに「１」と表示されたＡＲＱブロックに対するＡＲＱサブブロックに対するＡＣＫ／ＮＡＣＫ情報を追加的に構成して送信側へ伝送する。例えば、受信側は３番目のＡＲＱブロックを構成する３−１番目から３−４番目までのＡＲＱサブブロックを受信することに成功し、３−５番目から３−７番目までのＡＲＱサブブロックにエラーが発生したと仮定する。この場合、前記受信側は前記図２の（Ｄ）に示すようにＡＲＱサブブロックに対する選択的ＡＣＫマップを「１１１１０００」と表示できる。他の例として、受信側は６番目のＡＲＱブロックを構成する６−１番目、６−２番目、６−６番目及び６−７番目のＡＲＱサブブロックを受信することに成功し、６−３番目、６−４番目及び６−５番目までのＡＲＱサブブロックにエラーが発生したと仮定する。この場合、前記受信側は前記図２の（Ｅ）に示すようにＡＲＱサブブロックに対する選択的ＡＣＫマップを「１１０００１１」と表示できる。
【００３９】
前記受信側は下記表１のようにＥｘＴフィールドとＳＥＭフィールドを用いてＡＲＱブロックのＡＲＱフィードバック情報にＡＲＱサブブロックのＡＲＱフィードバック情報を追加できる。この時、前記受信側は累積ＡＣＫ方式と選択的ＡＣＫ方式とを用いてＡＲＱブロックとＡＲＱサブブロックに対するＡＲＱフィードバック情報を構成すると仮定する。ここで、前記受信側は情報要素（ＩＥ）の形態でＡＲＱフィードバック情報を生成する。
【００４０】
【表１Ａ】
2013509792.tif 000003
【表１Ｂ】
2013509792.tif 000004
【００４１】
ここで、前記ＡＲＱフィードバック情報は他のＡＲＱフィードバック情報が存在するかを示すＬＡＳＴフィールド、ＡＲＱが適用される連結子（Ｃｏｎｎｅｔｃｔｉｏｎ又はＦｌｏｗ）の識別子（ＩＤ）を示すＦｌｏｗ  ＩＤフィールド、累積ＡＣＫ方式と選択的ＡＣＫマップのうちＡＲＱブロックに対するＡＣＫ／ＮＡＣＫ情報をフィードバックするために使用される方式を示すＦＬＡＧ１フィールド、累積ＡＣＫ方式のＡＲＱフィードバック情報に含まれるＡＲＱブロックのシーケンス番号を示すＳＮフィールドを含む。ここで、前記ＬＡＳＴフィールドは前記表１と異なるＦｌｏｗ  ＩＤを有するＡＲＱフィードバック情報が前記表１の後存在したかを示す。前記ＳＮフィールドは前記ＦＬＡＧ１が「０」である場合、受信に成功したＡＲＱブロックのうちＡＲＱシーケンス番号がもっとも大きい値を示す。また、前記ＳＮフィールドは前記ＦＬＡＧ１が「１」である場合、最初に受信に失敗したＡＲＱブロックのＡＲＱシーケンス番号を示す。
【００４２】
前記ＦＬＡＧ１フィールドが「１」である場合、前記ＡＲＱフィードバック情報は前記ＡＲＱフィードバック情報にＡＲＱブロックに対するＡＲＱサブブロックのＡＣＫ／ＮＡＣＫ情報が含まれるか否かを示すＥｘＴフィールド、累積ＡＣＫ方式を用いてエラーの発生有無を示さなかったＡＲＱブロックにエラーが発生したか否かを示す選択的ＡＣＫマップ１フィールド、選択的ＡＣＫマップ１フィールドがさらに存在するか否かを示すＦＬＡＧ１フィールドをさらに含む。ここで、前記ＥｘＴフィールドはエラーが発生したＡＲＱブロックのうちＡＲＱサブブロックで構成され、一部のＡＲＱサブブロックのみにエラーが発生したＡＲＱブロックが存在するか否かを示す。これにより、前記ＥｘＴフィールドはＡＲＱフィードバック情報にＡＲＱサブブロックに対するＡＣＫ／ＮＡＣＫ情報が含まれないと「０」と表示し、ＡＲＱサブブロックに対するＡＣＫ／ＮＡＣＫ情報が含まれると「１」と表示する。
【００４３】
前記ＥｘＴフィールドが「１」である場合、前記ＡＲＱフィードバック情報はエラーが発生したＡＲＱブロックのうちＡＲＱサブブロックで構成され、一部のＡＲＱサブブロックのみにエラーが発生したＡＲＱブロックを示すＳＥＭフィールド、ＳＥＭフィールドに「１」と表示されたそれぞれのＡＲＱブロックに対して累積ＡＣＫ方式と選択的ＡＣＫマップのうちＡＲＱサブブロックに対するＡＣＫ／ＮＡＣＫ情報をフィードバックするために使用される方式を示すＦＬＡＧ２フィールド、累積ＡＣＫ方式や選択的ＡＣＫ方式でＡＲＱフィードバック情報に含まれるＡＲＱサブブロックのシーケンス番号を示すＳＳＮフィールド、選択的ＡＣＫ方式を使用する場合、ＡＲＱサブブロックにエラーが発生したか否かを示す選択的ＡＣＫマップ２フィールドをさらに含む。ここで、前記ＳＥＭフィールドはエラーが発生したＡＲＱブロックのうちＡＲＱサブブロックで構成され、一部のＡＲＱサブブロックの受信に成功した場合、「１」と表示する。また、前記ＳＥＭフィールドはエラーが発生したＡＲＱブロックのうちＡＲＱサブブロックで構成されないか、ＡＲＱサブブロックで構成されるがすべてのＡＲＱサブブロックにエラーが発生したＡＲＱブロックを「０」と表示する。
【００４４】
前記受信側は下記表２のようにＥｘＴフィールドとＳＥＭフィールドを用いてＡＲＱブロックのＡＲＱフィードバック情報にＡＲＱサブブロックのＡＲＱフィードバック情報を追加できる。この時、前記受信側は累積ＡＣＫ方式と選択的ＡＣＫ方式とを用いてＡＲＱブロックに対するＡＲＱフィードバック情報を構成し、選択的ＡＣＫ方式を用いてＡＲＱサブブロックに対するＡＲＱフィードバック情報を構成すると仮定する。ここで、前記受信側は情報要素の形態でＡＲＱフィードバック情報を生成する。
【００４５】
【表２Ａ】
2013509792.tif 000005
【表２Ｂ】
2013509792.tif 000006
【００４６】
ここで、前記ＡＲＱフィードバック情報は他のＡＲＱフィードバック情報が存在するかを示すＬＡＳＴフィールド、ＡＲＱが適用される連結子の識別子を示すＦｌｏｗ  ＩＤフィールド、累積ＡＣＫ方式と選択的ＡＣＫマップのうちＡＲＱブロックに対するＡＣＫ／ＮＡＣＫ情報をフィードバックするために使用される方式を示すＦＬＡＧ１フィールド、累積ＡＣＫ方式のＡＲＱフィードバック情報に含まれるＡＲＱブロックのシーケンス番号を示すＳＮフィールドを含む。ここで、前記ＬＡＳＴフィールドは前記表２と異なるＦｌｏｗ  ＩＤを有するＡＲＱフィードバック情報が前記表２の後存在したかを示す。前記ＳＮフィールドは前記ＦＬＡＧ１が「０」である場合、受信に成功したＡＲＱブロックのうちＡＲＱシーケンス番号がもっとも大きい値を示す。また、前記ＳＮフィールドは前記ＦＬＡＧ１が「１」である場合、最初に受信に失敗したＡＲＱブロックのＡＲＱシーケンス番号を示す。
【００４７】
前記ＦＬＡＧ１フィールドが「１」である場合、前記ＡＲＱフィードバック情報は前記ＡＲＱフィードバック情報にＡＲＱブロックに対するＡＲＱサブブロックのＡＣＫ／ＮＡＣＫ情報が含まれるか否かを示すＥｘＴフィールド、累積ＡＣＫ方式を用いてエラーの発生有無を示さなかったＡＲＱブロックにエラーが発生したか否かを示す選択的ＡＣＫマップ１フィールド、選択的ＡＣＫマップ１フィールドがさらに存在するか否かを示すＦＬＡＧ１フィールドをさらに含む。ここで、前記ＥｘＴフィールドはエラーが発生したＡＲＱブロックのうちＡＲＱサブブロックで構成され、一部のＡＲＱサブブロックのみにエラーが発生したＡＲＱブロックが存在するか否かを示す。これにより、前記ＥｘＴフィールドはＡＲＱフィードバック情報にＡＲＱサブブロックに対するＡＣＫ／ＮＡＣＫ情報が含まれないと「０」と表示し、ＡＲＱサブブロックに対するＡＣＫ／ＮＡＣＫ情報を含まれると「１」と表示する。
【００４８】
前記ＥｘＴフィールドが「１」である場合、前記ＡＲＱフィードバック情報はエラーが発生したＡＲＱブロックのうちＡＲＱサブブロックで構成され、一部のＡＲＱサブブロックのみにエラーが発生したＡＲＱブロックを示すＳＥＭフィールド、ＳＥＭフィールドに「１」と表示されたそれぞれのＡＲＱブロックを構成するＡＲＱサブブロックにエラーが発生したか否かを示す選択的ＡＣＫマップ２フィールド、選択的ＡＣＫマップ２フィールドがさらに存在するか否かを示すＦＬＡＧ２フィールドをさらに含む。ここで、前記ＳＥＭフィールドはエラーが発生したＡＲＱブロックのうちＡＲＱサブブロックで構成され、一部のＡＲＱサブブロックのみにエラーが発生したＡＲＱブロックを「１」と表示する。また、前記ＳＥＭフィールドはエラーが発生したＡＲＱブロックのうちＡＲＱサブブロックで構成されないか、ＡＲＱサブブロックで構成されるがすべてのＡＲＱサブブロックにエラーが発生したＡＲＱブロックを「０」と表示する。
【００４９】
前記受信側は下記表３のようにＥｘＴフィールドとＳＥＭフィールドを用いてＡＲＱブロックのＡＲＱフィードバック情報にＡＲＱサブブロックのＡＲＱフィードバック情報を追加できる。この時、前記受信側は累積ＡＣＫ方式と選択的ＡＣＫ方式とを用いてＡＲＱブロックに対するＡＲＱフィードバック情報を構成し、累積ＡＣＫ方式とシーケンスＡＣＫ方式を用いてＡＲＱサブブロックに対するＡＲＱフィードバック情報を構成すると仮定する。例えば、シーケンスＡＣＫ方式を使用する場合、受信側はＡＲＱサブブロックそれぞれに対するＡＣＫ／ＮＡＣＫ情報を示さず、ＡＲＱサブブロックのＡＣＫ／ＮＡＣＫ情報をグループ別に示す。ここで、前記受信側は情報要素の形態でＡＲＱフィードバック情報を生成する。
【００５０】
【表３Ａ】
2013509792.tif 000007
【表３Ｂ】
2013509792.tif 000008
【表３Ｃ】
2013509792.tif 000009
【００５１】
ここで、前記ＡＲＱフィードバック情報は他のＡＲＱフィードバック情報が存在するかを示すＬＡＳＴフィールド、ＡＲＱが適用される連結子の識別子を示すＦｌｏｗ  ＩＤフィールド、累積ＡＣＫ方式と選択的ＡＣＫマップのうちＡＲＱブロックに対するＡＣＫ／ＮＡＣＫ情報をフィードバックするために使用される方式を示すＦＬＡＧ１フィールド、累積ＡＣＫ方式のＡＲＱフィードバック情報に含まれるＡＲＱブロックのシーケンス番号を示すＳＮフィールドを含む。ここで、前記ＬＡＳＴフィールドは前記表３と異なるＦｌｏｗ  ＩＤを有するＡＲＱフィードバック情報が前記表３の後存在したかを示す。前記ＳＮフィールドは前記ＦＬＡＧ１が「０」である場合、受信に成功したＡＲＱブロックのうちＡＲＱシーケンス番号がもっとも大きい値を示す。また、前記ＳＮフィールドは前記ＦＬＡＧ１が「１」である場合、最初に受信に失敗したＡＲＱブロックのＡＲＱシーケンス番号を示す。
【００５２】
前記ＦＬＡＧ１フィールドが「１」である場合、前記ＡＲＱフィードバック情報は前記ＡＲＱフィードバック情報にＡＲＱブロックに対するＡＲＱサブブロックのＡＣＫ／ＮＡＣＫ情報が含まれるか否かを示すＥｘＴフィールド、累積ＡＣＫ方式を用いてエラーの発生有無を示さなかったＡＲＱブロックにエラーが発生したか否かを示す選択的ＡＣＫマップ１フィールド、選択的ＡＣＫマップ１フィールドがさらに存在するか否かを示すＦＬＡＧ１フィールドをさらに含む。ここで、前記ＥｘＴフィールドはエラーが発生したＡＲＱブロックのうちＡＲＱサブブロックで構成され、一部のＡＲＱサブブロックのみにエラーが発生したＡＲＱブロックが存在するか否かを示す。これにより、前記ＥｘＴフィールドはＡＲＱフィードバック情報にＡＲＱサブブロックに対するＡＣＫ／ＮＡＣＫ情報が含まれないと「０」と表示し、ＡＲＱサブブロックに対するＡＣＫ／ＮＡＣＫ情報を含まれると「１」と表示する。
【００５３】
前記ＥｘＴフィールドが「１」である場合、前記ＡＲＱフィードバック情報はエラーが発生したＡＲＱブロックのうちＡＲＱサブブロックで構成され、一部のＡＲＱサブブロックのみにエラーが発生したＡＲＱブロックを示すＳＥＭフィールド、ＳＥＭフィールドに「１」と表示されたそれぞれのＡＲＱブロックに対して累積ＡＣＫ方式とシーケンスＡＣＫマップのうちＡＲＱサブブロックに対するＡＣＫ／ＮＡＣＫ情報をフィードバックするために使用される方式を示すＦＬＡＧ２フィールド、累積ＡＣＫ方式及びシーケンスＡＣＫマップ方式のＡＲＱフィードバック情報に含まれるＡＲＱサブブロックのシーケンス番号を示すＳＳＮフィールド、ＡＲＱサブブロックのＡＣＫ／ＮＡＣＫ情報を示すためのシーケンスフォーマットを示すシーケンスフォーマットフィールド、ＡＲＱサブブロックのＡＣＫ／ＮＡＣＫ情報を示すグループのＡＣＫ／ＮＡＣＫ情報を示すシーケンスＡＣＫマップフィールド、ｋ番目のグループによってＡＣＫ／ＮＡＣＫ情報を示すＡＲＱサブブロックの個数を示すシーケンスＫ長さフィールド、シーケンスＡＣＫマップフィールドがさらに存在するか否かを示すＦＬＡＧ２フィールドをさらに含む。ここで、前記ＳＥＭフィールドはエラーが発生したＡＲＱブロックのうちＡＲＱサブブロックで構成され、一部のＡＲＱサブブロックのみにエラーが発生したＡＲＱブロックを「１」と表示する。また、前記ＳＥＭフィールドはエラーが発生したＡＲＱブロックのうちＡＲＱサブブロックで構成されないか、ＡＲＱサブブロックで構成されるがすべてのＡＲＱサブブロックにエラーが発生したＡＲＱブロックを「０」と表示する。
【００５４】
例えば、ＡＲＱブロックが１０個のＡＲＱサブブロックで構成され、最初の５個のＡＲＱサブブロックがＡＣＫで、最後の５個のＡＲＱサブブロックがＮＡＣＫである場合、前記受信側は前記表３では２ビットで構成されるシーケンスＡＣＫマップを「１０」と表示し、シーケンス１長さを「５」と表示し、シーケンス２長さを「５」と表示する。
【００５５】
前記受信側は下記表４のようにＥｘＴフィールドとＳＥＭフィールドを用いてＡＲＱブロックのＡＲＱフィードバック情報にＡＲＱサブブロックのＡＲＱフィードバック情報を追加できる。この時、前記受信側は累積ＡＣＫ方式と選択的ＡＣＫ方式とを用いてＡＲＱブロックに対するＡＲＱフィードバック情報を構成し、シーケンスＡＣＫ方式を用いてＡＲＱサブブロックに対するＡＲＱフィードバック情報を構成すると仮定する。例えば、シーケンスＡＣＫ方式を使用する場合、受信側はＡＲＱサブブロックそれぞれに対するＡＣＫ／ＮＡＣＫ情報を示さず、ＡＲＱサブブロックのＡＣＫ／ＮＡＣＫ情報をグループ別に示す。ここで、前記受信側は情報要素の形態でＡＲＱフィードバック情報を生成する。
【００５６】
【表４Ａ】
2013509792.tif 000010
【表４Ｂ】
2013509792.tif 000011
【表４Ｃ】
2013509792.tif 000012
【００５７】
ここで、前記ＡＲＱフィードバック情報は他のＡＲＱフィードバック情報が存在するかを示すＬＡＳＴフィールド、ＡＲＱが適用される連結子の識別子を示すＦｌｏｗ  ＩＤフィールド、累積ＡＣＫ方式と選択的ＡＣＫマップのうちＡＲＱブロックに対するＡＣＫ／ＮＡＣＫ情報をフィードバックするために使用される方式を示すＦＬＡＧ１フィールド、累積ＡＣＫ方式のＡＲＱフィードバック情報に含まれるＡＲＱブロックのシーケンス番号を示すＳＮフィールドを含む。ここで、前記ＬＡＳＴフィールドは前記表４と異なるＦｌｏｗ  ＩＤを有するＡＲＱフィードバック情報が前記表４の後存在したかを示す。前記ＳＮフィールドは前記ＦＬＡＧ１が「０」である場合、受信に成功したＡＲＱブロックのうちＡＲＱシーケンス番号がもっとも大きい値を示す。また、前記ＳＮフィールドは前記ＦＬＡＧ１が「１」である場合、最初に受信に失敗したＡＲＱブロックのＡＲＱシーケンス番号を示す。
【００５８】
前記ＦＬＡＧ１フィールドが「１」である場合、前記ＡＲＱフィードバック情報は前記ＡＲＱフィードバック情報にＡＲＱブロックに対するＡＲＱサブブロックのＡＣＫ／ＮＡＣＫ情報が含まれるか否かを示すＥｘＴフィールド、累積ＡＣＫ方式を用いてエラーの発生有無を示さなかったＡＲＱブロックにエラーが発生したか否かを示す選択的ＡＣＫマップ１フィールド、選択的ＡＣＫマップ１フィールドがさらに存在するか否かを示すＦＬＡＧ１フィールドをさらに含む。ここで、前記ＥｘＴフィールドはエラーが発生したＡＲＱブロックのうちＡＲＱサブブロックで構成され、一部のＡＲＱサブブロックのみにエラーが発生したＡＲＱブロックが存在するか否かを示す。これにより、前記ＥｘＴフィールドはＡＲＱフィードバック情報にＡＲＱサブブロックに対するＡＣＫ／ＮＡＣＫ情報が含まれないと「０」と表示し、ＡＲＱサブブロックに対するＡＣＫ／ＮＡＣＫ情報を含まれると「１」と表示する。
【００５９】
前記ＥｘＴフィールドが「１」である場合、前記ＡＲＱフィードバック情報はエラーが発生したＡＲＱブロックのうちＡＲＱサブブロックで構成され、一部のＡＲＱサブブロックのみにエラーが発生したＡＲＱブロックを示すＳＥＭフィールド、ＳＥＭフィールドに「１」と表示されたそれぞれのＡＲＱブロックに対してＡＲＱサブブロックのＡＣＫ／ＮＡＣＫ情報を示すためのシーケンスフォーマットを示すシーケンスフォーマットフィールド、ＡＲＱサブブロックのＡＣＫ／ＮＡＣＫ情報を示すグループのＡＣＫ／ＮＡＣＫ情報を示すシーケンスＡＣＫマップフィールド、ｋ番目のグループによってＡＣＫ／ＮＡＣＫ情報を示すＡＲＱサブブロックの個数を示すシーケンスＫ長さフィールド、シーケンスＡＣＫマップフィールドがさらに存在するか否かを示すＦＬＡＧ２フィールドをさらに含む。ここで、前記ＳＥＭフィールドはＡＲＱサブブロックで構成され、一部のＡＲＱサブブロックのみにエラーが発生したＡＲＱブロックを「１」と表示する。また、前記ＳＥＭフィールドはＡＲＱサブブロックで構成されないか、ＡＲＱサブブロックで構成されるがすべてのＡＲＱサブブロックにエラーが発生したＡＲＱブロックを「０」と表示する。
【００６０】
前記受信側は下記表５のようにＥｘＴフィールドとＳＥＭフィールドを用いてＡＲＱブロックのＡＲＱフィードバック情報にＡＲＱサブブロックのＡＲＱフィードバック情報を追加できる。この時、前記受信側は累積ＡＣＫ方式と選択的ＡＣＫ方式とを用いてＡＲＱブロックに対するＡＲＱフィードバック情報を構成し、連続ＡＣＫ方式を用いてＡＲＱサブブロックに対するＡＲＱフィードバック情報を構成すると仮定する。例えば、連続ＡＣＫ方式を使用する場合、受信側はそれぞれのＡＲＱサブブロックに対するＡＣＫ／ＮＡＣＫ情報を示さず、ＡＲＱサブブロックのＡＣＫ情報をグループ別に示す。この時、前記ＡＲＱサブブロックのＡＣＫ情報は受信側で受信に成功したＡＲＱサブブロックに対する情報のみを表示する。これにより、送信側は受信側から提供されたＡＲＱサブブロックに対するＡＣＫ情報からＡＣＫと表示されないＡＲＱサブブロックに対しては受信側で受信に成功しなかったと認識する。ここで、前記受信側は情報要素の形態でＡＲＱフィードバック情報を生成する。
【００６１】
【表５Ａ】
2013509792.tif 000013
【表５Ｂ】
2013509792.tif 000014
【００６２】
ここで、前記ＡＲＱフィードバック情報は他のＡＲＱフィードバック情報が存在するかを示すＬＡＳＴフィールド、ＡＲＱが適用される連結子の識別子を示すＦｌｏｗ  ＩＤフィールド、累積ＡＣＫ方式と選択的ＡＣＫマップのうちＡＲＱブロックに対するＡＣＫ／ＮＡＣＫ情報をフィードバックするために使用される方式を示すＦＬＡＧ１フィールド、累積ＡＣＫ方式のＡＲＱフィードバック情報に含まれるＡＲＱブロックのシーケンス番号を示すＳＮフィールドを含む。ここで、前記ＬＡＳＴフィールドは前記表５と異なるＦｌｏｗ  ＩＤを有するＡＲＱフィードバック情報が前記表５の後存在したかを示す。前記ＳＮフィールドは前記ＦＬＡＧ１が「０」である場合、受信に成功したＡＲＱブロックのうちＡＲＱシーケンス番号がもっとも大きい値を示す。また、前記ＳＮフィールドは前記ＦＬＡＧ１が「１」である場合、最初に受信に失敗したＡＲＱブロックのＡＲＱシーケンス番号を示す。
【００６３】
前記ＦＬＡＧ１フィールドが「１」である場合、前記ＡＲＱフィードバック情報は前記ＡＲＱフィードバック情報にＡＲＱブロックに対するＡＲＱサブブロックの受信有無の情報が含まれるか否かを示すＥｘＴフィールド、累積ＡＣＫ方式を用いてエラーの発生有無を示さなかったＡＲＱブロックにエラーが発生したか否かを示す選択的ＡＣＫマップ１フィールド、選択的ＡＣＫマップ１フィールドがさらに存在するか否かを示すＦＬＡＧ１フィールドをさらに含む。ここで、前記ＥｘＴフィールドはエラーが発生したＡＲＱブロックのうちＡＲＱサブブロックで構成され、一部のＡＲＱサブブロックのみにエラーが発生したＡＲＱブロックが存在するか否かを示す。これにより、前記ＥｘＴフィールドはＡＲＱフィードバック情報にＡＲＱサブブロックに対する受信有無の情報が含まれないと「０」と表示し、ＡＲＱサブブロックに対する受信有無の情報が含まれると「１」と表示する。
【００６４】
前記ＥｘＴフィールドが「１」である場合、前記ＡＲＱフィードバック情報はＡＲＱサブブロックで構成され、一部のＡＲＱサブブロックのみにエラーが発生したＡＲＱブロックを示すＳＥＭフィールド、ＳＥＭフィールドに「１」と表示されたそれぞれのＡＲＱブロックに対してＡＲＱサブブロックのうち受信側で受信に成功した最初のＡＲＱサブブロックのシーケンス番号（ＳＳＮ）を示すＳＴＡＲＴ_ＳＳＮフィールド、受信に成功した最初のＡＲＱサブブロックの後、連続して受信に成功したＡＲＱブロックの個数を示すＮｕｍ＿ＳＳＮフィールド及びＳＴＡＲＴ＿ＳＳＮフィールドとＮｕｍ＿ＳＳＮフィールドの繰り返し回数を示すＥｎｄフィールドを含む。すなわち、受信側で連続ＡＣＫ方式を用いてＡＲＱサブブロックに対するＡＲＱフィードバック情報を構成する場合、前記受信側はＡＲＱサブブロックで構成される一つのＡＲＱブロックで受信に成功したＡＲＱサブブロックに対する情報のみを表示するようにＡＲＱフィードバック情報を構成する。これにより、前記受信側は前記ＳＴＡＲＴ＿ＳＳＮフィールドとＮｕｍ＿ＳＳＮフィールド及びＥｎｄフィールドを用いてＡＲＱサブブロックに対する受信有無を示すことができる。例えば、送信側から１００個のＡＲＱサブブロックで構成される一つのＡＲＱブロックを伝送した場合、受信側は１番目から３０番目及び６１番目から９０番目までのＡＲＱサブブロックを受信することに成功し、３１番目から６０番目及び９１番目から１００番目までのＡＲＱサブブロックを受信することに成功できなかったと仮定する。この時、前記受信側は１番目から３０番目までのＡＲＱサブブロックに対する受信有無を表示するためにＳＴＡＲＴ＿ＳＳＮフィールドを「１」に設定し、Ｎｕｍ＿ＳＳＮフィールドを「３０」に設定し、Ｅｎｄフィールドを「０」に設定する。また、前記受信側は６１番目から９０番目までのＡＲＱサブブロックに対する受信有無を表示するためにＳＴＡＲＴ＿ＳＳＮフィールドを「６１」に設定し、Ｎｕｍ＿ＳＳＮフィールドを「９０」に設定し、Ｅｎｄフィールドを「１」に設定する。
【００６５】
この場合、前記送信側はＡＲＱサブブロックのＡＲＱフィードバック情報に受信有無が表示されない３１番目から６０番目までのＡＲＱサブブロックにエラーが発生したと認識する。これにより、前記送信側は３１番目から６０番目までのＡＲＱサブブロックを再送できる。
【００６６】
また、前記送信側は９１番目から１００番目までのＡＲＱサブブロックに対しては受信側で前記ＡＲＱサブブロックをまだ受信していないと認識する。もし、前記送信側で前記９１番目から１００番目までのＡＲＱサブブロックに対して伝送に失敗したと認識する場合、前記送信側は前記９１番目から１００番目までのＡＲＱサブブロックを再送することができる。
【００６７】
上述のように受信側はＥｘＴフィールドとＳＥＭフィールドを用いてＡＲＱブロックのＡＲＱフィードバック情報にＡＲＱサブブロックのＡＲＱフィードバック情報を追加する。この時、前記受信側は下記図３に示すようにＡＲＱフィードバック情報を構成して送信側へ伝送する。
【００６８】
図３は、本発明の実施形態による無線通信システムの受信側でＡＲＱフィードバックメッセージを生成するための手順を示すフローチャートである。
【００６９】
前記図３に示すように、受信側はステップ３０１で送信側からＡＲＱブロックが受信されるかを確認する。
【００７０】
ＡＲＱブロックを受信された場合、前記受信側はステップ３０３に進んで前記受信されたＡＲＱブロックにエラーが発生したか否かを確認する。
【００７１】
その後、前記受信側はステップ３０５に進んでＡＲＱフィードバックを行うかを判断する。
【００７２】
ＡＲＱフィードバックを行わない場合、前記受信側は前記ステップ３０１に戻り前記送信側からＡＲＱブロックが受信されるかを確認する。
【００７３】
一方、ＡＲＱフィードバックを行う場合、前記受信側はステップ３０７に進んでＡＲＱフィードバックを行うためのＡＲＱブロックのうちエラーが発生したＡＲＱブロックが存在するかを確認する。
【００７４】
前記ステップ３０７でエラーが発生したＡＲＱブロックが存在しない場合、前記受信側はステップ３１７に進んで累積ＡＣＫ方式を用いてＡＲＱブロックに対するＡＲＱフィードバック情報を生成する。例えば、ＡＲＱフィードバックを行うための１番目から１０番目までのＡＲＱブロックにエラーが発生しなかった場合、受信側は前記表１又は表２又は表３又は表４又は表５でＦＬＡＧ１フィールドが「０」で、ＳＮフィールドが「１０」のＡＲＱフィードバック情報を生成する。
【００７５】
前記ＡＲＱフィードバック情報を生成した後、前記受信側はステップ３１９に進んで前記生成したＡＲＱフィードバック情報を含むＡＲＱフィードバックメッセージを生成して前記送信側へ伝送する。
【００７６】
一方、前記ステップ３０７でエラーが発生したＡＲＱブロックが存在する場合、前記受信側はステップ３０９に進んで累積ＡＣＫ方式と選択的ＡＣＫ方式とを用いてＡＲＱブロックに対するフィードバック情報を生成する。例えば、前記受信側は前記表１又は表２又は表３又は表４又は表５でＳＮフィールドが最初にエラーが発生したＡＲＱブロックのシーケンス番号を含むように設定する。また、前記受信側は累積ＡＣＫ方式のＡＲＱフィードバック情報を用いてエラーの発生有無を示さなかったＡＲＱブロックにエラーが発生したか否かを示すように選択的ＡＣＫマップを構成してＡＲＱフィードバック情報を生成する。
【００７７】
前記ＡＲＱブロックに対するＡＲＱフィードバック情報を生成した後、前記受信側はステップ３１１に進んでＡＲＱサブブロックで構成されるＡＲＱブロックが存在するかを確認する。
【００７８】
ＡＲＱサブブロックで構成されるＡＲＱブロックが存在しない場合、前記受信側は前記ステップ３１９に進んで前記ステップ３０９で生成したＡＲＱブロックに対するＡＲＱフィードバック情報を含むＡＲＱフィードバックメッセージを生成して前記送信側へ伝送する。
【００７９】
一方、ＡＲＱサブブロックで構成される少なくとも一つのＡＲＱブロックが存在する場合、前記受信側はステップ３１３に進んで受信に成功したＡＲＱサブブロックが存在するかを確認する。
【００８０】
受信に成功したＡＲＱサブブロックが存在しない場合、前記受信側はＡＲＱブロックを構成するすべてのＡＲＱサブブロックにエラーが発生したと認識する。この場合、前記受信側はＡＲＱブロックに対するＮＡＣＫ情報のみを用いてＡＲＱサブブロックに対するＮＡＣＫ情報を示すことができる。これにより、前記受信側は前記ステップ３１９に進んで前記ステップ３０９で生成したＡＲＱブロックに対するＡＲＱフィードバック情報を含むＡＲＱフィードバックメッセージを生成して前記送信側へ伝送する。
【００８１】
前記ステップ３１３で受信に成功したＡＲＱサブブロックが存在する場合、前記受信側はステップ３１５に進んでＥｘＴフィールドとＳＥＭフィールドを用いてＡＲＱサブブロックに対するフィードバック情報を前記ステップ３０９で生成したフィードバック情報に追加する。例えば、前記受信側は前記表１又は表２又は表３又は表４又は表５のようにＥｘＴフィールドとＳＥＭフィールドを用いてＡＲＱサブブロックに対するフィードバック情報をＡＲＱブロックのフィードバック情報に追加する。すなわち、前記受信側はＥｘＴフィールドを用いてＳＥＭフィールドの存在有無を示し、ＳＥＭフィールドを用いてＡＲＱサブブロックに対するフィードバック情報を含むＡＲＱブロックを示す。また、前記受信側はＳＥＭフィールドのビットが「１」に設定されたＡＲＱブロックに対するＡＲＱサブブロックのフィードバック情報を生成してＡＲＱブロックのフィードバック情報に追加する。
【００８２】
ＡＲＱブロックのフィードバック情報にＡＲＱサブブロックに対するフィードバック情報を追加した後、前記受信側は前記ステップ３１９に進んで前記ステップ３１５でＡＲＱサブブロックのフィードバック情報が追加されたＡＲＱブロックのフィードバック情報を含むＡＲＱフィードバックメッセージを生成して前記送信側へ伝送する。
【００８３】
その後、前記受信側は前記ＡＲＱフィードバックメッセージを送信側へ伝送する。
【００８４】
以下の説明は送信側でＡＲＱフィードバック情報を通じてＡＲＱブロックとＡＲＱサブブロックにエラーが発生したか否かを確認するための方法に対して説明する。
【００８５】
図４は、本発明の実施形態による無線通信システムの送信側でＡＲＱブロックを伝送するための手順を示す。
【００８６】
前記図４に示すように送信側はステップ４０１でＡＲＱ方式の通信サービスを提供するためにＡＲＱブロックを生成して受信側へ伝送する。例えば、前記送信側は上位階層から提供されたサービスデータユニットに対するスケジューリングに応じてＡＲＱブロックを生成する。その後、前記送信側は少なくとも一つのＡＲＱブロックにＭＰＤＵを生成できる。他の例として、送信側は上位階層から提供された一つのサービスデータユニットを分割するか多数個のサービスデータユニットを結合してＡＲＱブロックを生成する。その後、前記送信側は一つのＡＲＱブロックで一つのＭＰＤＵを生成する。
【００８７】
その後、前記送信側はステップ４０３に進んで前記ＡＲＱブロックを伝送した受信側からＡＲＱフィードバックメッセージが受信されるかを確認する。
【００８８】
ＡＲＱフィードバックメッセージが受信される場合、前記送信側はステップ４０５に進んでＡＲＱフィードバックメッセージに含まれたＡＲＱフィードバック情報を通じて受信側へ伝送したＡＲＱブロックにエラーが発生したか否かを確認する。
【００８９】
受信側へ伝送したＡＲＱブロックにエラーが発生したか否かを確認した後、前記送信側はステップ４０７に進んで前記ＡＲＱフィードバックメッセージにＡＲＱサブブロックのフィードバック情報が含まれたかを確認する。例えば、前記送信側はＡＲＱフィードバックメッセージのＥｘＴフィールドの設定値を考慮して前記ＡＲＱフィードバックメッセージにＡＲＱサブブロックのフィードバック情報が含まれるかを確認する。すなわち、前記送信側は前記ＥｘＴフィールドが「０」である場合、前記ＡＲＱフィードバックメッセージにＡＲＱサブブロックのフィードバック情報が含まれないと認識する。一方、前記ＥｘＴフィールドが「１」である場合、前記送信側は前記ＡＲＱフィードバックメッセージにＡＲＱサブブロックのフィードバック情報が含まれたと認識する。
【００９０】
前記ＡＲＱフィードバックメッセージにＡＲＱサブブロックのフィードバック情報が含まれない場合、前記送信側はステップ４１１に進んで前記ＡＲＱブロックのエラーの発生有無によって再送するＡＲＱブロックが存在するかを確認する。
【００９１】
一方、前記ＡＲＱフィードバックメッセージにＡＲＱサブブロックのフィードバック情報が含まれた場合、前記送信側はステップ４０９に進んで前記ＡＲＱフィードバックメッセージのＳＥＭフィールドと選択的ＡＣＫマップ２フィールドを考慮してＡＲＱサブブロックにエラーが発生したか否かを確認する。例えば、前記送信側はＳＥＭフィールドによってＡＲＱサブブロックで構成され、一部のＡＲＱサブブロックのみにエラーが発生したＡＲＱブロックを確認する。その後、前記送信側は選択的ＡＣＫマップ２フィールドのビット値を通じてエラーが発生したＡＲＱサブブロックを含むＡＲＱブロックが存在するかを確認する。
【００９２】
その後、前記送信側は前記ステップ４１１に進んで前記ステップ４０５で確認したＡＲＱブロックのエラーの発生有無と前記ステップ４０９で確認したＡＲＱサブブロックのエラーの発生有無によって再送するＡＲＱブロックとＡＲＱサブブロックが存在するかを確認する。
【００９３】
再送するＡＲＱブロックとＡＲＱサブブロックが存在しない場合、前記送信側は本アルゴリズムを終了する。この時、前記送信側は新ローンＡＲＱブロックを受信側へ伝送する。
【００９４】
一方、再送するＡＲＱブロックとＡＲＱサブブロックが存在する場合、前記送信側はステップ４１３に進んで再送するＡＲＱブロックとＡＲＱサブブロックを受信側へ再送する。
【００９５】
その後、前記送信側は本アルゴリズムを終了する。
【００９６】
以下の説明はＡＲＱブロック又はＡＲＱサブブロックを伝送するための送信側の構成に対して説明する。
【００９７】
図５は、本発明によって無線通信システムにおける送信側のブロック構成を示す。
【００９８】
前記図５に示すように、送信側はデータ保存部５０１、データ構成部５０３、ＡＲＱ制御部５０５、送信器５０７、デュプレクサ５０９、受信器５１１及びＡＲＱサブブロック構成部５１３を含む。前記送信側は追加ユニットを含むことができる。また、送信側に含まれる各ユニットの機能のうち少なくとも二つの機能は単一の構成要素に統合され得る。
【００９９】
前記データ保存部５０１は上位のアプリケーションプログラムで生成されたデータを保存する。例えば、前記データ保存部５０１はデータキューの形態で構成される。
【０１００】
前記データ構成部５０３はスケジューリング情報に応じて前記データ保存部５０１に保存されたデータを切り取るか合わせて伝送するための大きさに変形する。
【０１０１】
前記ＡＲＱ制御部５０５は前記データ生成部５０３から提供されたデータに対するＡＲＱのためにＡＲＱブロックを生成し、それぞれのＡＲＱブロックにシーケンス番号を割り振る。例えば、前記ＡＲＱ制御部５０５は上位階層から提供されたサービスデータユニットを所定のデータサイズに分割してＡＲＱブロックを生成する。この時、前記ＡＲＱ制御部５０５は少なくとも一つのＡＲＱブロックでＭＰＤＵを生成し、サービスデータユニットを分割した順番に沿ってＡＲＱブロックにＡＲＱブロックシーケンスを割り当てる。他の例として、前記ＡＲＱ制御部５０５は上位階層から提供された一つのサービスデータユニットを分割するか多数個のサービスデータユニットを結合してＡＲＱブロックを生成する。この時、前記ＡＲＱ制御部５０５は一つのＡＲＱブロックで一つのＭＰＤＵを生成し、ＡＲＱブロックシーケンスを順に割り当てる。
【０１０２】
また、前記ＡＲＱ制御部５０５は受信側から提供されたＡＲＱフィードバックメッセージを通じて前記受信側へ伝送したＡＲＱブロックとＡＲＱサブブロックにエラーが発生したか否かを確認する。例えば、前記ＡＲＱ制御部５０５は前記ＡＲＱフィードバックメッセージでＡＲＱブロックにエラーが発生したか否かを確認し、ＥｘＴフィールドの設定値を考慮して前記ＡＲＱフィードバックメッセージにＡＲＱサブブロックのフィードバック情報が含まれたかを確認する。すなわち、前記ＡＲＱ制御部５０５は前記ＥｘＴフィールドが「０」である場合、前記ＡＲＱフィードバックメッセージにＡＲＱサブブロックのフィードバック情報が含まれないと認識する。一方、前記ＥｘＴフィールドが「１」である場合、前記ＡＲＱ制御部５０５は前記ＡＲＱフィードバックメッセージにＡＲＱサブブロックのフィードバック情報が含まれたと認識する。もし、前記ＥｘＴフィールドが「１」である場合、前記ＡＲＱ制御部５０５は前記ＡＲＱフィードバックメッセージのＳＥＭフィールドと選択的ＡＣＫマップ２フィールドを考慮してＡＲＱサブブロックにエラーが発生したか否かを確認する。すなわち、前記ＡＲＱ制御部５０５はＳＥＭフィールドによってＡＲＱサブブロックで構成され、一部のＡＲＱサブブロックのみにエラーが発生したＡＲＱブロックを確認する。その後、前記ＡＲＱ制御部５０５は選択的ＡＣＫマップ２フィールドのビット値を考慮して前記ＡＲＱブロックを構成するＡＲＱサブブロックにエラーが発生したか否かを確認する。
【０１０３】
前記ＡＲＱ制御部５０５は受信側へ伝送または再送したＡＲＱブロックにエラーが発生した場合、エラーが発生したＡＲＱブロックを再送するように制御する。例えば、前記ＡＲＱ制御部５０５は再送するＡＲＱブロックをＡＲＱサブブロックに分割するか否かを決定する。もし、ＡＲＱブロックを分割すると決定した場合、前記ＡＲＱ制御部５０５はエラーが発生したＡＲＱブロックをＡＲＱサブブロックに分割するように前記ＡＲＱサブブロック構成部５１３を制御する。一方、ＡＲＱブロックを分割しないと決定した場合、前記ＡＲＱ制御部５０５はエラーが発生したＡＲＱブロックに対する元のＡＲＱブロックを再送するように制御する。
【０１０４】
前記ＡＲＱサブブロック構成部５１３は前記ＡＲＱ制御部５０５の制御に応じてエラーが発生して再送するＡＲＱブロックを少なくとも二つのＡＲＱサブブロックに分割する。この時、前記ＡＲＱサブブロック構成部５１３はＡＲＱサブブロックの大きさが固定されるように分割するか可変に分割できる。
【０１０５】
前記送信器５０７はチャネル符号ブロック、変調ブロック及びＲＦ処理ブロックを含んで生成され、前記ＡＲＱ制御部５０５から提供されたＡＲＱブロックとＡＲＱサブブロックのうち少なくとも一つを高周波信号に変換して前記デュプレクサ５０９を介して受信側へ伝送する。例えば、前記チャネル符号ブロックはチャネル符号器、インターリーバ及び変調器などで構成される。前記変調ブロックは直交周波数分割多重方式の場合、ＩＦＦＴ演算器で構成され、コード分割多重接続方式の場合、コード拡散変調器で構成される。前記ＲＦ処理ブロックは前記変調ブロックから提供された基底帯域信号を高周波信号に変換してアンテナを介して出力する。
【０１０６】
前記デュプレクサ５０９はデュプレックス方式によって前記送信器５０７から提供された送信信号をアンテナを介して送信し、アンテナからの受信信号を受信器５１１へ提供する。
【０１０７】
前記受信器５１１はＲＦ処理ブロック、復調ブロック、チャネル復号ブロックなどを含み、前記デュプレクサ５０９から提供された高周波信号を基底帯域信号に変換して復調する。例えば、前記ＲＦ処理ブロックは前記デュプレクサ５０９から提供された高周波信号を基底帯域信号に変換して出力する。前記復調ブロックは前記ＲＦ処理ブロックから提供された信号から各副搬送波に載せられたデータを抽出するためのＦＦＴ演算器などで構成される。前記チャネル復号ブロックは復調器、デインターリーバ及びチャネルデコーダなどで構成される。
【０１０８】
上述した構成で前記ＡＲＱ制御部５０５は前記ＡＲＱサブブロック構成部５１３の機能を行うことができる。本発明でこれを別途に生成したのは各機能を区別して説明するためである。したがって、実際に具現する場合は、これらのすべてをＡＲＱ制御部５０５で処理するように構成することができ、これらのうち一部のみを前記ＡＲＱ制御部５０５で処理するように構成することもできる。
【０１０９】
以下の説明はＡＲＱフィードバックメッセージを生成するための受信側の構成に対して説明する。
【０１１０】
図６は、本発明によって無線通信システムにおける受信側のブロック構成を示す。
【０１１１】
前記図６に示すように受信側はデュプレクサ６０１、受信器６０３、ＡＲＱ制御部６０５、データ復元部６０７、データ保存部６０９、ＡＲＱ制御メッセージ生成部６１１及び送信器６１３を含む。
【０１１２】
前記デュプレクサ６０１はデュプレックス方式によって前記送信器６１３から提供された送信信号をアンテナを介して送信し、アンテナからの受信信号を受信器６０３へ提供する。
【０１１３】
前記受信器６０３はＲＦ処理ブロック、復調ブロック、チャネル復号ブロックなどを含み、前記デュプレクサ６０１から提供された高周波信号を基底帯域信号に変換して復調する。例えば、前記ＲＦ処理ブロックは前記デュプレクサ６０１から提供された高周波信号を基底帯域信号に変換して出力する。前記復調ブロックは前記ＲＦ処理ブロックから提供された信号から各副搬送波に載せられたデータを抽出するためのＦＦＴ演算器などで構成される、前記チャネル復号ブロックは復調器、デインターリーバ及びチャネルデコーダなどで構成される。
【０１１４】
前記ＡＲＱ制御部６０５は前記受信器６０３から提供されたＡＲＱブロックとＡＲＱサブブロックのシーケンスを確認し、前記ＡＲＱブロックとＡＲＱサブブロックにエラーが発生したか否かを確認する。
【０１１５】
前記ＡＲＱ制御部６０５はＡＲＱフィードバック時点を確認してＡＲＱフィードバック時点に到達するとＡＲＱフィードバックメッセージを生成するように前記ＡＲＱ制御メッセージ生成部６１１を制御する。
【０１１６】
前記データ復元部６０７は前記ＡＲＱ制御部６０５でエラーなく受信に成功したＡＲＱブロックを用いて送信側のデータ生成部５０３で切り取るか合わせて変形する前のデータに復元する。
【０１１７】
前記データ保存部６０９は前記データ復元部６０７で復元したデータを保存し、前記データを上位のアプリケーションプログラムへ伝達する。例えば、前記データ保存部６０９はデータキューの形態で生成される。
【０１１８】
前記ＡＲＱ制御メッセージ生成部６１１は前記ＡＲＱ制御部６０５の制御に応じて前記送信側へ伝送するＡＲＱフィードバックメッセージを生成する。例えば、送信側から受信したＡＲＱブロックにエラーが発生した場合、前記ＡＲＱ制御メッセージ生成部６１１は累積ＡＣＫ方式と選択的ＡＣＫ方式とを用いてＡＲＱブロックに対するＡＲＱフィードバック情報を生成する。この時、前記ＡＲＱ制御メッセージ生成部６１１はＥｘＴフィールドとＳＥＭフィールドを用いて前記ＡＲＱブロックに対するＡＲＱフィードバック情報にＡＲＱサブブロックに対するフィードバック情報を追加する。すなわち、前記ＡＲＱ制御メッセージ生成部６１１は前記表１又は表２又は表３又は表４又は表５のようにＥｘＴフィールドとＳＥＭフィールドを用いてＡＲＱブロックのフィードバック情報にＡＲＱサブブロックに対するフィードバック情報を追加する。すなわち、前記ＡＲＱ制御メッセージ生成部６１１はＥｘＴフィールドを用いてＳＥＭフィールドの存在有無を示し、ＳＥＭフィールドを用いてＡＲＱサブブロックに対するフィードバック情報を含むＡＲＱブロックを示す。また、前記ＡＲＱ制御メッセージ生成部６１１はＳＥＭフィールドのビットが「１」に設定されたＡＲＱブロックに対するＡＲＱサブブロックのフィードバック情報を生成してＡＲＱブロックのフィードバック情報に追加する。
【０１１９】
前記ＡＲＱ制御メッセージ生成部６１１はエラーが発生したＡＲＱブロックのうち一部のＡＲＱサブブロックのみにエラーが発生したＡＲＱブロックが存在する場合、ＡＲＱブロックのフィードバック情報にＡＲＱサブブロックに対するフィードバック情報を追加する。ここで、前記ＡＲＱ制御部６０５はエラーが発生したＡＲＱブロックのうちＡＲＱサブブロックで構成されるＡＲＱブロックが存在するかを確認する。また、前記ＡＲＱ制御部６０５は前記エラーが発生したＡＲＱブロックのうち受信に成功した少なくとも一つのＡＲＱサブブロックを含むＡＲＱブロックが存在するかを確認する。
【０１２０】
前記送信器６１３はチャネル符号ブロック、変調ブロック及びＲＦ処理ブロックを含み前記ＡＲＱ制御部６０５から提供されたＡＲＱフィードバックメッセージを高周波信号に変換して前記デュプレクサ６０１を介して受信側へ伝送する。例えば、前記チャネル符号ブロックはチャネル符号器、インターリーバ及び変調器などで構成される。前記変調ブロックは直交周波数分割多重方式の場合、ＩＦＦＴ演算器で構成され、コード分割多重接続方式の場合、コード拡散変調器で構成される。前記ＲＦ処理ブロックは前記変調ブロックから提供された基底帯域信号を高周波信号に変換してアンテナを介して出力する。
【０１２１】
上述した構成で前記ＡＲＱ制御部６０５は前記ＡＲＱ制御メッセージ生成部６１１の機能を行うことができる。本発明でこれを別途に構成したのは各機能を区別して説明するためである。したがって、実際に具現する場合は、これらのすべてをＡＲＱ制御部６０５で処理するように構成することができ、これらのうち一部のみを前記ＡＲＱ制御部６０５で処理するように構成することもできる。
【０１２２】
上述のように無線通信システムの受信側でＡＲＱサブブロックのフィードバック情報をＡＲＱブロックのフィードバック情報に追加してＡＲＱフィードバックメッセージを生成することによって、ＡＲＱブロックとＡＲＱサブブロックに対するＡＲＱフィードバックを行うことができＡＲＱフィードバックによるオーバーヘッドを減らすことができる。
【０１２３】
また、送信側で受信側から提供された一つのＡＲＱフィードバックメッセージでＡＲＱブロックとＡＲＱサブブロックのフィードバック情報を確認することによって、ＡＲＱサブブロックに対するフィードバック情報を確認するための遅延時間を減らすことができる。
【０１２４】
一方、本発明を実施するための形態では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【０１２５】
５０１  データ保存部
５０３  データ構成部
５０５  ＡＲＱ制御部
５０７  送信器
５０９  デュプレクサ
５１１  受信器
５１３  ＡＲＱサブブロック構成部
６０１  デュプレクサ
６０３  受信器
６０５  ＡＲＱ制御部
６０７  データ復元部
６０９  データ保存部
６１１  ＡＲＱ制御メッセージ生成部
６１３  送信器
【図２】
2013509792.tif 000015
【図１】
2013509792.tif 000016
【図３】
2013509792.tif 000017
【図４】
2013509792.tif 000018
【図５】
2013509792.tif 000019
【図６】
2013509792.tif 000020
【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
無線通信システムの受信側で自動再送要求（ＡＲＱ）フィードバックメッセージを伝送するための方法において、
多数個のＡＲＱブロックを受信する過程と、
第１情報、第２情報及び第３情報を含むＡＲＱフィードバックメッセージをＡＲＱブロックの送信側へ伝送する過程と、を含み、
前記第１情報は、受信されたＡＲＱブロックのＡＣＫブロック（ＡＣＫｅｄ  ＡＲＱ  ｂｌｏｃｋ）及びＮＡＣＫブロック（ＮＡＣＫｅｄ  ＡＲＱ  ｂｌｏｃｋ）のうちいずれか１つを示し、
前記第２情報は、完全ＮＡＣＫブロック（ｃｏｍｐｌｅｔｅｌｙ  ＮＡＣＫｅｄ  ＡＲＱ  ｂｌｏｃｋ）及び部分ＮＡＣＫブロック（ｐａｒｔｉａｌｌｙ  ＮＡＣＫｅｄ  ＡＲＱ  ｂｌｏｃｋ）のうちいずれか１つである前記ＮＡＣＫブロック（ＮＡＣＫｅｄ  ＡＲＱ  ｂｌｏｃｋ）を示し、
前記第３情報は、前記部分ＮＡＣＫブロックに対するＡＲＱサブブロックのうち少なくとも１つのＡＲＱサブブロックの受信の成功可否を示す方法。
【請求項２】
前記ＡＣＫブロックは、ＡＲＱブロックの受信成功情報を示す請求項１に記載の方法。
【請求項３】
前記部分ＮＡＣＫブロック（ｐａｒｔｉａｌｌｙ  ＮＡＣＫｅｄ  ＡＲＱ  ｂｌｏｃｋ）は、ＡＲＱブロックに対するＡＲＱサブブロックのうち少なくとも１つのＡＲＱサブブロックに対する受信成功情報を示す請求項１または２に記載の方法。
【請求項４】
前記完全ＮＡＣＫブロック（ｃｏｍｐｌｅｔｅｌｙ  ＮＡＣＫｅｄ  ＡＲＱ  ｂｌｏｃｋ）は、ＡＲＱブロックに対する全てのＡＲＱサブブロックの受信失敗情報を示す請求項１ないし３のいずれか一項に記載の方法。
【請求項５】
前記ＡＲＱフィードバックメッセージは、ＡＲＱサブブロックのＡＣＫ／ＮＡＣＫの存在有無を示す第４情報をさらに含む請求項１ないし４のいずれか一項に記載の方法。
【請求項６】
前記ＡＲＱフィードバックメッセージは、前記第２情報及び前記第３情報のうち少なくとも１つの存在を示す第４情報をさらに含む請求項１ないし５のいずれか一項に記載の方法。
【請求項７】
前記第３情報は、ＡＲＱブロックで受信に成功した最初のＡＲＱサブブロックのシーケンス番号及び前記最初のＡＲＱサブブロックから連続して受信に成功したＡＲＱサブブロックの個数を示す請求項１ないし６のいずれか一項に記載の方法。
【請求項８】
前記第３情報は、ＡＲＱサブブロックにエラーが発生したか否かを示すビットマップ、追加的なビットマップの存在有無、第２情報の構成方式、前記第２情報の構成方式によって受信に成功した最後のＡＲＱサブブロックまたは最初にエラーが発生したＡＲＱサブブロックのシーケンス番号、追加的な前記第２情報の存在有無、ＡＲＱサブブロックのシーケンス番号、シーケンスグループのＡＣＫ／ＮＡＣＫの情報を示すシーケンスビットマップ及びシーケンスグループの長さのうち少なくとも１つをさらに示す請求項１ないし７のいずれか一項に記載の方法。
【請求項９】
前記ＡＲＱフィードバックメッセージは、ＡＲＱが適用されたフローまたは連結子の識別子、前記第１情報の構成方式、前記第１情報の構成方式によって受信に成功した最後のＡＲＱブロックまたは最初にエラーが発生したＡＲＱブロックのシーケンス番号のうち少なくとも１つを示す第５情報をさらに含む請求項１ないし８に記載の方法。
【請求項１０】
前記第１情報の構成方式は、累積ＡＣＫ方式と選択的ＡＣＫ方式のうち少なくとも１つを含む請求項９に記載の方法。
【請求項１１】
無線通信システムのＡＲＱブロック受信装置において、
多数個のＡＲＱブロックを受信する受信器、及び
第１情報、第２情報及び第３情報を含むＡＲＱフィードバック情報をＡＲＱブロックの送信側へ伝送する送信器を含み、
前記第１情報は、ＡＲＱブロックのＡＣＫブロック（ＡＣＫｅｄ  ＡＲＱ  ｂｌｏｃｋ）及びＮＡＣＫブロック（ＮＡＣＫｅｄ  ＡＲＱ  ｂｌｏｃｋ）のうちいずれか１つを示し、
前記第２情報は、完全ＮＡＣＫブロック（ｃｏｍｐｌｅｔｅｌｙ  ＮＡＣＫｅｄ  ＡＲＱ  ｂｌｏｃｋ）及び部分ＮＡＣＫブロック（ｐａｒｔｉａｌｌｙ  ＮＡＣＫｅｄ  ＡＲＱ  ｂｌｏｃｋ）のいずれか１つを含む前記ＮＡＣＫブロック（ＮＡＣＫｅｄ  ＡＲＱ  ｂｌｏｃｋ）を示し、
前記第３情報は、前記部分ＮＡＣＫブロックに対するＡＲＱサブブロックのうち少なくとも１つのＡＲＱサブブロックの受信の成功可否を示す装置。
【請求項１２】
前記ＡＣＫブロックは、ＡＲＱブロックの受信成功情報を示す請求項１１に記載の装置。
【請求項１３】
前記部分ＮＡＣＫブロック（ｐａｒｔｉａｌｌｙ  ＮＡＣＫｅｄ  ＡＲＱ  ｂｌｏｃｋ）は、ＡＲＱブロックに対するＡＲＱサブブロックのうち少なくとも１つのＡＲＱサブブロックの受信成功情報を示す請求項１１または１２に記載の装置。
【請求項１４】
前記完全ＮＡＣＫブロック（ｃｏｍｐｌｅｔｅｌｙ  ＮＡＣＫｅｄ  ＡＲＱ  ｂｌｏｃｋ）は、ＡＲＱブロックに対する全てのＡＲＱサブブロックの受信失敗情報を含む請求項１１ないし１３のいずれか一項に記載の装置。
【請求項１５】
前記ＡＲＱフィードバックメッセージは、ＡＲＱサブブロックのＡＣＫ／ＮＡＣＫの存在有無を示す第４情報をさらに含む請求項１１ないし１４のいずれか一項に記載の装置。
【請求項１６】
前記ＡＲＱフィードバックメッセージは、前記第２情報及び前記第３情報のうち少なくとも１つの存在を示す第４情報をさらに含む請求項１１ないし１５のいずれか一項に記載の装置。
【請求項１７】
前記第３情報は、ＡＲＱブロックで受信に成功した最初のＡＲＱサブブロックのシーケンス番号及び前記最初のＡＲＱサブブロックから連続して受信に成功したＡＲＱサブブロックの個数を示す請求項１１ないし１６のいずれか一項に記載の装置。
【請求項１８】
前記第３情報は、ＡＲＱサブブロックにエラーが発生したか否かを示すビットマップ、追加的なビットマップの存在有無、第２情報の構成方式、前記第２情報の構成方式によって受信に成功した最後のＡＲＱサブブロックまたは最初にエラーが発生したＡＲＱサブブロックのシーケンス番号、前記追加的な第２情報の存在有無、ＡＲＱサブブロックのシーケンス番号、シーケンスグループのＡＣＫ／ＮＡＣＫの情報を示すシーケンスビットマップ及びシーケンスグループの長さのうち少なくとも１つをさらに示す請求項１１ないし１７のいずれか一項に記載の装置。
【請求項１９】
前記ＡＲＱフィードバックメッセージは、ＡＲＱが適用されたフローまたは連結子の識別子、前記第１情報の構成方式、前記第１情報の構成方式によって受信に成功した最後のＡＲＱブロックまたは最初にエラーが発生したＡＲＱブロックのシーケンス番号のうち少なくとも１つを示す第５情報をさらに含む請求項１１ないし１８のいずれか一項に記載の方法。
【請求項２０】
前記第１情報の構成方式は、累積ＡＣＫ方式と選択的ＡＣＫ方式のうち少なくとも１つを含む請求項１９に記載の装置。
【国際調査報告】
2013509792.tif 000021
2013509792.tif 000022